(57)【要約】【課題】低コストで製造できるＬＥＤ照明装置１０を提供すること。【解決手段】発光ストリップ１２，１３をプリント基板１１の開口１５，１６に組み込み、ランド１８と発光ストリップ１２，１３の電極引き出し線１２ｅをはんだ付けする。発光ストリップ１２，１３をプリント基板１１に固定するので、プリント基板１１で発光ストリップ１２，１３が倒れないように支持できる。また、細い金属ワイヤと電極引き出し線１２ｅを溶接する面倒な作業工程を省略できるので、製造コストの大幅な低減が可能となる。発光ストリップ１２，１３のＬＥＤチップ１２ｂが点滅発光若しくは明暗発光するように駆動器１４で制御する。ＬＥＤチップ１２ｂが連続点灯する場合に比べて消費電力、ひいてはＬＥＤチップ１２ｂの発熱量が少ない。そのため、グローブに放熱用気体を封入するなどの放熱手段を省略することが可能となる【選択図】図１
2017139205.tif 000002
【特許請求の範囲】
【請求項１】
帯状の透明基板上に複数個のＬＥＤチップを並べて接続し、両端にＬＥＤチップの電極引き出し線を設けた発光ストリップと、ＬＥＤチップの発光を制御する駆動器と、駆動器に電力を供給するために外部電源に接続されるソケットを備えたＬＥＤ照明装置であって、
プリント基板に開口又は切り欠き部を形成するとともに、開口又は切り欠き部に近接してランドを形成し、
プリント基板の一端に連結端部を設け、
プリント基板の開口又は切り欠き部に発光ストリップを配置し、
ランドに電極引き出し線を固着し、
ソケットに連結端部が嵌合する嵌合部を設け
プリント基板をソケットに着脱可能に装着したことを特徴とするＬＥＤ照明装置。
【請求項２】
前記ランドに電気的に接続した接続端子を前記連結端部に設け、
プリント基板の連結端部をソケットの嵌合口に嵌合したとき該接続端子に接続される接続端子をソケットに設けたことを特徴とする請求項１に記載のＬＥＤ照明装置。
【請求項３】
ランドに電極引き出し線をはんだ付けすることを特徴とする請求項１に記載のＬＥＤ照明装置。
【請求項４】
駆動器で発光ストリップのＬＥＤチップが点滅発光若しくは明暗発光するように発光制御することを特徴とする請求項１に記載のＬＥＤ照明装置。
【請求項５】
前記開口又は切り欠き部に複数本の発光ストリップを組み込んだことを特徴とする請求項１に記載のＬＥＤ照明装置。
【請求項６】
前記開口又は切り欠き部をプリント基板の複数個所に形成し、各開口に発光ストリップを組み込んだことを特徴とする請求項１に記載のＬＥＤ照明装置。
【請求項７】
ソケットに放熱体を設け、
放熱体にＬＥＤチップを固設し、
放熱体に固設したＬＥＤチップを光拡散体で覆い、
放熱体に固設したＬＥＤチップを連続点灯するように発光制御することを特徴とする請求項１に記載のＬＥＤ照明装置。
【請求項８】
プリント基板を第１プリント基板と第２プリント基板で構成し、
第１プリント基板にその上端部から中間部まで延びる第１スリットを形成し、
第２プリント基板にその下端部から中間部まで延びる第２スリットを形成し、
ソケットに第１プリント基板の連結端部が嵌合する嵌合口と第２プリント基板の連結端部が嵌合する嵌合口を設け、
第１スリットに第２スリットを差し込むとともに、第１プリント基板の連結端部と第２プリント基板の連結端部をソケットの嵌合口に嵌合することにより、第１プリント基板と第２プリント基板が略直角に交差するように両プリント基板をソケットに取り付けたことを特徴とする請求項１に記載のＬＥＤ照明装置。
【請求項９】
駆動器をソケットに内蔵したことを特徴とする請求項１に記載のＬＥＤ照明装置。
【請求項１０】
駆動器をプリント基板に設けたことを特徴とする請求項１に記載のＬＥＤ照明装置。
【発明の詳細な説明】
【技術分野】
【０００１】
本発明はＬＥＤ照明装置に関し、より詳しくは光源として帯状の透明基板上に複数個のＬＥＤチップを並べて接続した発光ストリップを備えたＬＥＤ照明装置に関する。
【背景技術】
【０００２】
この種のＬＥＤ照明装置として特許第５６８９５２４号には、グローブと、グローブに収納した複数本の発光ストリップと、発光ストリップの発光を制御する駆動器と、駆動器に電力を給電するため外部電源に接続されるソケットを備えたＬＥＤ電球が開示されている。
【０００３】
このＬＥＤ電球では、複数本の発光ストリップと駆動器が金属ワイヤで電気的に接続されるとともに、この金属ワイヤで発光ストリップが倒れないように支持されている。
【０００４】
グローブ内には粘性係数が低く、高熱伝導率の放熱用気体が封入されている。この放熱用気体が発光ストリップの点灯時の発熱で加熱されグローブ内を対流するので、放熱用気体を介して発光ストリップの発熱がグローブの外に放熱され、発光ストリップの過熱による劣化、破損が防止される。
【先行技術文献】
【特許文献】
【０００５】
【特許文献１】特許第５６８９５２４号
【発明の概要】
【発明が解決しようとする課題】
【０００６】
上記した従来のＬＥＤ電球では、発光ストリップの両端に設けた電極引き出し線を金属ワイヤに溶接して、発光ストリップと駆動器を電気的に接続しているが、細い金属ワイヤと電極引き出し線を溶接するという、甚だ面倒な作業工程が不可欠である。
【０００７】
また、グローブに放熱用気体を封入しているため、その製造には予めグローブ内を真空にする工程、放熱用気体を充填する工程、グローブとソケットを気密に接合する工程等が不可欠である。そのため、製造コストが高くなる。
本発明は上記事情に鑑みてなされたものであって、低コストで製造できるＬＥＤ照明装置を提供することを目的とする。
【課題を解決するための手段】
【０００８】
請求項１に記載の発明は、帯状の透明基板上に複数個のＬＥＤチップを並べて接続し、両端にＬＥＤチップの電極引き出し線を設けた発光ストリップと、ＬＥＤチップの発光を制御する駆動器と、駆動器に電力を供給するために外部電源に接続されるソケットを備えたＬＥＤ照明装置であって、
プリント基板に開口又は切り欠き部を形成するとともに、開口又は切り欠き部に近接してランドを形成し、
プリント基板の一端に連結端部を設け、
プリント基板の開口又は切り欠き部に発光ストリップを配置し、
ランドに電極引き出し線を固着し、
ソケットに連結端部が嵌合する嵌合部を設け
プリント基板をソケットに着脱可能に装着したことを特徴とする。
【０００９】
請求項２に記載の発明は、請求項１に記載のＬＥＤ照明装置において、前記ランドに電気的に接続した接続端子を前記連結端部に設け、
プリント基板の連結端部をソケットの嵌合口に嵌合したとき該接続端子に接続される接続端子をソケットに設けたことを特徴とする。
【００１０】
請求項３に記載の発明は、請求項１に記載のＬＥＤ照明装置において、
ランドに電極引き出し線をはんだ付けすることを特徴とする。
【００１１】
請求項４記載の発明は、請求項１に記載のＬＥＤ照明装置において、
駆動器で発光ストリップのＬＥＤチップが点滅発光若しくは明暗発光するように発光制御することを特徴とする。
【００１２】
請求項５に記載の発明は、請求項１に記載のＬＥＤ照明装置において、
前記開口又は切り欠き部に複数本の発光ストリップを組み込んだことを特徴とする。
【００１３】
請求項６に記載の発明は、請求項１に記載のＬＥＤ照明装置において、
前記開口又は切り欠き部をプリント基板の複数個所に形成し、各開口に発光ストリップを組み込んだことを特徴とする。
【００１４】
請求項７に記載の発明は、請求項１に記載のＬＥＤ照明装置において、
ソケットに放熱体を設け、
放熱体にＬＥＤチップを固設し、
放熱体に固設したＬＥＤチップを光拡散体で覆い、
放熱体に固設したＬＥＤチップを連続点灯するように発光制御することを特徴とする。
【００１５】
請求項８に記載の発明は、請求項１に記載のＬＥＤ照明装置において、
プリント基板を第１プリント基板と第２プリント基板で構成し、
第１プリント基板にその上端部から中間部まで延びる第１スリットを形成し、
第２プリント基板にその下端部から中間部まで延びる第２スリットを形成し、
ソケットに第１プリント基板の連結端部が嵌合する嵌合口と第２プリント基板の連結端部が嵌合する嵌合口を設け、
第１スリットに第２スリットを差し込むとともに、第１プリント基板の連結端部と第２プリント基板の連結端部をソケットの嵌合口に嵌合することにより、第１プリント基板と第２プリント基板が略直角に交差するように両プリント基板をソケットに取り付けたことを特徴とする。
【００１６】
請求項９に記載の発明は、請求項１に記載の発明において、駆動器をソケットに内蔵したことを特徴とする。
【００１７】
請求項１０に記載の発明は、請求項１に記載の発明において、駆動器をプリント基板に設けたことを特徴とする。
【発明の効果】
【００１８】
本発明によれば、開口又は切り欠き部に組み付けた発光ストリップを点灯すると、発光ストリップの光が開口の前後又は切り欠き部の前後及び側方に照射される。
しかして、発光ストリップの電極引き出し線をプリント基板のランドに固着することにより発光ストリップをプリント基板に組み付けるので、細い金属ワイヤと電極引き出し線を溶接する面倒な作業工程を省略でき、製造コストの大幅な低減が可能となる。
【図面の簡単な説明】
【００１９】
【図１】本発明の第１実施例に係るＬＥＤ照明装置を示す分解斜視図である。
【図２】同ＬＥＤ照明装置の発光ストリップを示す正面図である。
【図３】図２の３−３線から切断した断面図である。
【図４】同ＬＥＤ照明装置の駆動器から発光ストリップへの出力波形を模式的に示すグラフである。
【図５】同ＬＥＤ照明装置の駆動器から発光ストリップへの他の出力波形を模式的に示すグラフである。
【図６】本発明の第２実施例に係るＬＥＤ照明装置を示す分解斜視図である。
【図７】本発明の第３実施例に係るＬＥＤ照明装置を示す分解斜視図である。
【図８】本発明の第４実施例に係るＬＥＤ照明装置を示す分解斜視図である。
【図９】本発明の第５実施例に係るＬＥＤ照明装置を示す分解斜視図である。
【図１０】本発明の第６実施例に係るＬＥＤ照明装置を示す分解斜視図である。
【図１１】本発明の第６実施例に係るＬＥＤ照明装置を示す斜視図である。
【図１２】本発明の第６実施例に係るＬＥＤ照明装置の駆動器から発光ストリップへの出力波形を模式的に示すグラフである。
【図１３】本発明の第７実施例に係るＬＥＤ照明装置を示す分解斜視図である。
【図１４】本発明の第８実施例に係るＬＥＤ照明装置を示す分解斜視図である。
【図１５】本発明の第８施例に係るＬＥＤ照明装置を示す斜視図である。
【図１６】本発明の第９実施例に係るＬＥＤ照明装置を示す分解斜視図である。
【図１７】本発明の第１０実施例に係るＬＥＤ照明装置を示す分解斜視図である。
【図１８】本発明の第１１実施例に係るＬＥＤ照明装置を示す分解斜視図である。
【実施例１】
【００２０】
以下に本発明を図面に基づき説明する。図１には本発明の第１実施例に係るＬＥＤ照明装置１０が示されている。当該ＬＥＤ照明装置１０は、長方形のプリント基板１１と、２本の発光ストリップ１２，１３及びソケット１４を備えている。プリント基板１１には２本の縦型開口１５，１６、プリント配線１７及びランド１８が印刷形成されている。ランド１８は各縦型開口１５，１６の上端部と下端部に近接するように配置されている。また、プリント基板１１の下端部には連結端部２０が設けられている。この連結端部２０にはプリント配線１７が電気的に接続される３個の接続端子２１が設けられている。
【００２１】
図２に発光ストリップ１２の詳細を図示する。発光ストリップ１２，１３はガラスや透明プラスチック製の透明基板１２ａを供え、透明基板１２ａ上にＰＮ同一方向で直列接続された複数個のＬＥＤチップ１２ｂからなる一連のチップ列が設けられている。各ＬＥＤチップ１２ｂはエポキシ樹脂のような透明接着剤で透明基板１２ａに固定され、接続線１２ｃで電気的に接続されている。ＬＥＤチップ１２ｂは青色又は紫外光を発生し、それをオレンジ色またはその他の発光色に変換するための発光粉層１２ｄで被覆されている。透明基板１２ａの両端にはＬＥＤチップ１２ｂ列の電極引き出し線１２ｅと、電極引き出し線１２ｅを透明基板１２ａに固定するための固定片１２ｆが設けられている。
発光ストリップ１３は発光ストリップ１２と同じ構造を備えている。
【００２２】
発光ストリップ１２，１３はプリント基板１１の縦型開口１５，１６内に配置され、電極引き出し線１２ｅをランド１８にはんだ付けすることによりプリント基板１１に固定されている。発光ストリップ１２，１３は縦型開口１５，１６を塞ぐのではなくて、通風可能な隙間が形成されるように縦型開口１５，１６に宙づり状態で配置されている。
【００２３】
ソケット１４は外部電源にねじ込んで接続される口金２２を備えている。ソケット１４の上面にはプリント基板１１の連結端部２０が嵌合する嵌合口２３が形成され、嵌合口２３内には連結端部２０が嵌合したとき接続される接続端子２４が設けられている。
また、内部には発光ストリップ１２，１３の発光を制御する駆動器２５が設けられている。プリント基板１１の連結端部２０をソケット１４の嵌合口２３に差し込むことにより発光ストリップ１２，１３と駆動器２５が電気的に接続され、口金２２を介して外部電源から電力が給電される。
【００２４】
第１実施例に係るＬＥＤ照明装置１０の構造は以上の通りであって、駆動器２５から図４又は図５に示すパターンで発光ストリップ１２，１３に給電される。
図４に示す給電パターンによれば、発光ストリップ１２，１３のチップ列は一定周期で明暗発光を繰り返す。
また、図５に示す給電パターンによれば、各発光ストリップ１２，１３のチップ列が一定周期で点滅発光を繰り返す。その際、発光ストリップ１２のチップ列の点滅発光と発光ストリップ１３のチップ列の点滅発光の間に位相差が設けられている。
【００２５】
第１実施例に係るＬＥＤ照明装置１０によれば、発光ストリップ１２，１３をプリント基板１１の開口１５，１６に配置し、ランド１８と発光ストリップ１２，１３の電極引き出し線１２ｅをはんだ付けすることにより、発光ストリップ１２，１３をプリント基板１１に固着するので、プリント基板１１で発光ストリップ１２，１３が倒れないように支持できる。また、細い金属ワイヤと電極引き出し線１２ｅを溶接する面倒な作業工程を省略できるので、製造コストの大幅な低減が可能となる。
【００２６】
駆動器２５によって発光ストリップ１２，１３のＬＥＤチップ１２ｂが点滅発光若しくは明暗発光するように発光制御されるので、ＬＥＤチップ１２ｂが連続点灯する場合に比べて消費電力、ひいてはＬＥＤチップ１２ｂの発熱量が少ない。そのため、グローブに放熱用気体を封入するなどの放熱手段を省略することが可能となるので、構造が簡単になり、より一層、製造コストを低減できる。
また、発光ストリップ１２，１３が点滅発光若しくは明暗発光するので、揺らめく炎のような揺らぎ成分をもった照明効果を奏することも可能となる。
また、発光ストリップ１２，１３は縦型開口１５，１６を塞ぐのではなくて、通風可能な隙間が形成されるように縦型開口１５，１６に宙づり状態で組み込まれているので、高い放熱効果を奏する。
【実施例２】
【００２７】
本発明の第２実施例に係るＬＥＤ照明装置３０を図６に示す。当該ＬＥＤ照明装置３０のソケット３１には、ＡＣアダプター３２のＤＣプラグ３３を差し込む受け口が設けられている。ＡＣアダプター３２を外部電源のコンセントに差し込み、ＤＣプラグ３３を受け口３４差し込むことになり、ソケット３１の内部の駆動器２５に電力を供給できる。
なお、本実施例の他の構成は第１実施例に係るＬＥＤ照明装置１０と同じであるので、同一の構成部材に同一の符号を付して説明を省略する。
【実施例３】
【００２８】
本発明の第３実施例に係るＬＥＤ照明装置４０を図７に示す。当該ＬＥＤ照明装置４０のソケット４１には駆動器２５が内蔵され、ソケット４１の上部には開口４２と嵌合溝４３が形成され、下部に口金４４が設けられている。プリント基板１１の連結端部２０の接続端子２１と駆動器２５がリード線４５で接続されている。プリント基板１１の連結端部２０を嵌合溝４３に嵌合することによりプリント基板１１がソケット４１に組み付けられる。
なお、本実施例の他の構成は第１実施例に係るＬＥＤ照明装置１０と同じであるので、同一の構成部材に同一の符号を付して説明を省略する。
【実施例４】
【００２９】
本発明の第４実施例に係るＬＥＤ照明装置５０を図８に示す。当該ＬＥＤ照明装置５０のプリント基板５１には一個の大開口５２が形成され、該大開口５２に２本の発光ストリップ１２，１３が配置されている。そして、２本の発光ストリップ１２，１３によって十字形が形成されている。
なお、本実施例の他の構成は第１実施例に係るＬＥＤ照明装置１０と同じであるので、同一の構成部材に同一の符号を付して説明を省略する。
【実施例５】
【００３０】
本発明の第５実施例に係るＬＥＤ照明装置６０を図９に示す。当該ＬＥＤ照明装置６０のプリント基板６１には一個の大開口６２が形成され、該大開口６２に２本の発光ストリップ１２，１３が配置されている。そして、２本の発光ストリップ１２，１３が平行に配置されている。
なお、本実施例の他の構成は第１実施例に係るＬＥＤ照明装置１０と同じであるので、同一の構成部材に同一の符号を付して説明を省略する。
【実施例６】
【００３１】
本発明の第６実施例に係るＬＥＤ照明装置を図１０及び図１１に示す。当該ＬＥＤ照明装置７０は第１プリント基板７１と第２プリント基板７２の２枚のプリント基板７１，７２を備えている。第１プリント基板７１は全体形状が団扇型を有し、左右対称形状に形成されている。第１プリント基板７１には上端部中央から中間部まで延びる長方形の第１スリット７３が形成されている。第１プリント基板７１の下端部中央には長円形の半分の形をした切り欠き部７４が形成されている。第１プリント基板７１の右半分と左半分にはそれぞれ４本の縦長開口７５が形成され、各縦長開口７５のそれぞれに発光ストリップ７６，７７，７８，７９が配置されている。第１プリント基板７１の下端部には切り欠き部７４を挟んで左右一対の連結端部８０，８１が設けられ、連結端部８０，８１に接続端子８２が設けられている。
【００３２】
第２プリント基板７２は、全体形状が第１プリント基板７１と略同じ団扇型を有し、左右対称形状に形成されている。第２プリント基板７２には下端部の中央に切り欠き部８３が形成され、この切り欠き部８３から中間部まで延びる長方形の第２スリット８４が形成されている。第１プリント基板７１と同様に、第２プリント基板７２右半分と左半分にはそれぞれ４本の縦長開口７５が形成され、各縦長開口７５に発光ストリップ７６，７７，７８，７９が配置されている。第２プリント基板７２の下端部には切り欠き部８３を挟んで左右一対の連結端部８０，８１が設けられ、連結端部８０，８１に接続端子８２が設けられている。
各縦長開口７５の端部に近接してランド１８が設けられ、ランド１８とランド１８及び接続端子８２がプリント配線１７で接続されている。
【００３３】
ソケット８５の上面は放熱板８６で構成されている。この放熱板８６には第１プリント基板７１の連結端部８０，８１が差し込まれる一対の嵌合口８７と第２プリント基板７２の連結端部８０，８１が差し込まれる一対の嵌合口８８が設けられている。
また、放熱板８６の中央部には常時点灯用のＬＥＤチップ８９が固設され、このＬＥＤチップ８９に光拡散体９０が被せられている。ソケット８５には駆動器９１が内蔵され、ソケット８５の下部には口金９２が設けられている。
【００３４】
図１１に示すように、両プリント基板７１，７２は第１スリット７３に第２スリット８４を差し込むことにより第１プリント基板７１と第２プリント基板７２が略直角に交差するように両プリント基板７１，７２がソケット８５に取り付けられる。そして、第１プリント基板７１の接続端子８２が嵌合口８７を通して、また第２プリント基板７２の接続端子８２が嵌合口８８を通して駆動器９１に接続され、駆動器９１から各発光ストリップ７６，７７，７８，７９に給電される。
図１２に、第１プリント基板７１の右半分の４本の発光ストリップ７６，７７，７８，７９への給電パターンを示す。
各発光ストリップ７６，７７，７８，７９のチップ列が一定周期で点滅発光を繰り返す。その際、各発光ストリップ７６，７７，７８，７９のチップ列は、互いに一定の位相差をもって点滅発光するように制御される。
第１プリント基板７１の左半分の発光ストリップ７６．７７．７８．７９及び第２プリント基板７２の発光ストリップ７６，７７，７８，７９も同様にして点滅発光を繰り返す。
【００３５】
第６実施例に係るＬＥＤ照明装置７０によれば、放熱板８６に固設した常時点灯用のＬＥＤチップ８９が連続点灯するので、発光ストリップ７６．７７．７８．７９のＬＥＤチップ１２ｂが点滅発光もしくは明暗発光することによる眩しさを緩和できる。
【００３６】
ソケット８５に複数枚のプリント基板７１，７２を組み付けることができる。そのため、光源として多数の発光ストリップ７６．７７．７８．７９を備えることができ、より照度を高めることができる。
【００３７】
第１プリント基板７１と第２プリント基板７２が略直角に交差するので、各基板７１，７２に組み付けた発光ストリップ７６．７７．７８．７９の光が全周に照射され、照明ムラをなくすことができる。
【００３８】
なお、上記第１実施例〜第５実施例では、ランド１８に電極引き出し線１２ｅをはんだ付けしているが、ランド１８と電極引き出し線１２ｅの接続方法は、はんだ付けに限定されるものではなく、溶着、あるいは電極引き出し線１２ｅをランド１８に差し込む等、電気的にランド１８と電極引き出し線１２ｅを接続する他の方法を採用することも可能である。
【実施例７】
【００３９】
本発明の第７実施例に係るＬＥＤ照明装置１００を図１３に示す。当該ＬＥＤ照明装置１００のプリント基板１０１の左右両縁の２箇所に縦長長方形の切り欠き部１０２が形成され、各切り欠き部１０２のそれぞれに発光ストリップ１２，１３が配置されている。
なお、本実施例の他の構成は第１実施例に係るＬＥＤ照明装置１０と同じであるので、同一の構成部材に同一の符号を付して説明を省略する。
第７実施例に係るＬＥＤ照明装置１００によれば、発光ストリップ１２，１３の光が切り欠き部１０２の前後方向だけでなく、右側方又は左側方にも照射される。
【実施例８】
【００４０】
本発明の第８実施例に係るＬＥＤ照明装置１１０を図１４及び図１５に示す。当該ＬＥＤ照明装置１１０は第１プリント基板１１１と第２プリント基板１１２及びソケット１１３を備えている。第１プリント基板１１１の左右両縁のそれぞれに縦長長方形の切り欠き部１０２が形成され、各切り欠き部１０２に発光ストリップ１２，１３が配置されている。第１プリント基板１１１には上端部中央から中間部まで延びる第１スリット１１５が形成されている。第１プリント基板１１１の下端部には第１スリット１１５を挟んで連結端部１１６，１１７が設けられ各連結端部１１６，１１７に接続端子１１８が設けられている。
【００４１】
第２プリント基板１１２には、第１プリント基板１１１と同様に左右両縁に切り欠き部１０２が形成され、各切り欠き部１０２に発光ストリップ１２，１３が配置されている。第２プリント基板１１２の下端部の中央には中間部まで延びる第２スリット１１９が形成されている。第２プリント基板１１２の下端部には第２スリット１１９を挟んで連結端部１１６，１１７が設けられ、各連結端部１１６，１１７に接続端子１１８が設けられている。ソケット１１３には４個の嵌合穴２３が設けられている。
【００４２】
図１５に示すように、両プリント基板１１１．１１２は第１スリット１１５に第２スリット１１９を差し込み、連結端部１１６，１１７を嵌合穴２３に差し込むことにより、十字形に交差するように両プリント基板１１１，１１２がソケット１１３に取り付けられる。
なお、本実施例の他の構成は第１実施例に係るＬＥＤ照明装置１０と同じであるので、同一の構成部材に同一の符号を付して説明を省略する。
【実施例９】
【００４３】
本発明の第９実施例に係るＬＥＤ照明装置１２０を図１６に示す。当該ＬＥＤ照明装置１２０のプリント基板１０１の左右両縁には切り欠き部１０２が形成され、切り欠き部１０２に発光ストリップ１２，１３が配置されている。プリント基板１０１の中央部の上下２箇所にホールド金具１２１が固定され、ホールド金具１２１で発光ストリップ１２２が保持されている。また、プリント基板１０１の下端部に発光ストリップ１２，１３，１２２を点滅又は明暗制御する駆動器１２３の構成部品が組み付けられている。
なお、本実施例の他の構成は第７実施例に係るＬＥＤ照明装置１００と同じであるので、同一の構成部材に同一の符号を付して説明を省略する。
本実施例に係るＬＥＤ照明装置１２０では、プリント基板１０１における切り欠き部１０２以外の部位にもホールド金具１２１で発光ストリップ１２２を組み付けている。また、第１〜第８実施例に係るＬＥＤ照明装置１０，３０，４０，５０，６０，７０，１００，１１０は、駆動器２５をソケット１４，３１，４１，８５，１１３に内蔵したが、本実施例ではプリント基板１０１に駆動器１２３を組み付けている。
【実施例１０】
【００４４】
本発明の第１０実施例に係るＬＥＤ照明装置１３０を図１７に示す。当該ＬＥＤ照明装置１３０のプリント基板１０１の左右両縁に切り欠き部１０２が形成され、両切り欠き部１０２によってプリント基板１０１に中間部１３１が形成されている。この中間部１３１を巻くようにして２本の発光ストリップ１３２，１３３が切り欠き部１０２に配置されている。一方の発光ストリップ１３２の上側の電極引き出し線１２ｅは左側の切り欠き部１０２の上端部に近接して設けたランド１８にはんだ付けされ、下側の電極引き出し線１２ｅは右側の切り欠き部１０２の下端部に近接して設けたランド１８にはんだ付けされている。
同様に、他方の発光ストリップ１３３の上側の電極引き出し線１２ｅは右側の切り欠き部１０２の上端部に近接して設けたランド１８にはんだ付けされ、下側の電極引き出し線１２ｅは左側の切り欠き部１０２の下端部に近接して設けたランド１８にはんだ付けされている。
なお、本実施例の他の構成は第７実施例に係るＬＥＤ照明装置１００と同じであるので、同一の構成部材に同一の符号を付して説明を省略する。
【実施例１１】
【００４５】
本発明の第１１実施例に係るＬＥＤ照明装置１４０を図１８に示す。上記第１〜９実施例に係るＬＥＤ照明装置１０，３０，４０，５０，６０，７０，１００，１１０，１３０は、開口１５，１６又は切り欠き部１０２に直線状の発光ストリップ１２，１３を配置したが、第１１実施例に係るＬＥＤ照明装置１４０では屈曲した発光ストリップ１４１．１４２を切り欠き部１０２に配置している。
【符号の説明】
【００４６】
１０…ＬＥＤ照明装置
１１…プリント基板
１２，１３…発光ストリップ
１２ｂ…ＬＥＤチップ
１２ｅ…電極引き出し線
１４…ソケット
１５，１６…開口
１７…プリント配線
１８…ランド
２０…連結端部
２１…接続端子
２２…口金
２３…嵌合口
２４…接続端子
２５…駆動器
３０…ＬＥＤ照明装置
３１…ソケット
３２…ＡＣアダプター
３３…ＤＣプラグ
３４…受け口
４０…ＬＥＤ照明装置
４１…ソケット
４２…開口
４３…嵌合溝
４４…口金
４５…リード線
５０…ＬＥＤ照明装置
５１…プリント基板
５２…大開口
６０…ＬＥＤ照明装置
６１…プリント基板
６２…大開口
７０…ＬＥＤ照明装置
７１…第１プリント基板
７２…第２プリント基板
７３…第１スリット
７４…切り欠き部
７５…縦長開口
７６，７７，７８，７９…発光ストリップ
８０，８１…連結端部
８２…接続端子
８３…切り欠き部
８４…第２スリット
８５…ソケット
８６…放熱板
８７，８８…嵌合口
８９…ＬＥＤチップ
９０…光拡散体
９１…駆動器
９２…口金
１００…ＬＥＤ照明装置
１０１…プリント基板
１０２…切り欠き部
１１０…ＬＥＤ照明装置
１１１…第１プリント基板
１１２…第２プリント基板
１１３…ソケット
１１５…第１スリット
１１６，１１７…連結端部
１１８…接続端子
１１９…第２スリット
１２０…ＬＥＤ照明装置
１２１…ホールド金具
１２２…発光ストリップ
１２３…駆動器
１３０…ＬＥＤ照明装置
１３１…中間部
１３２，１３３…発光ストリップ
１４０…ＬＥＤ照明装置
１４１，１４２…発光ストリップ
【図１】
2017139205.tif 000003
【図２】
2017139205.tif 000004
【図３】
2017139205.tif 000005
【図４】
2017139205.tif 000006
【図５】
2017139205.tif 000007
【図６】
2017139205.tif 000008
【図７】
2017139205.tif 000009
【図８】
2017139205.tif 000010
【図９】
2017139205.tif 000011
【図１０】
2017139205.tif 000012
【図１１】
2017139205.tif 000013
【図１２】
2017139205.tif 000014
【図１３】
2017139205.tif 000015
【図１４】
2017139205.tif 000016
【図１５】
2017139205.tif 000017
【図１６】
2017139205.tif 000018
【図１７】
2017139205.tif 000019
【図１８】
2017139205.tif 000020